(57)【要約】      （修正有）【課題】掃き出し窓、人の出入り口、物の出し入れ口等において、掃き出し窓や出入り口等を挟んで並行に設置された縦型介護用ポール装置の間に設けた手摺りの脱着を簡単かつ容易にする介護ポール用手摺り取付治具を提供する。【解決手段】取付治具Ｂは、ポール１に固定される基部７１と、その基部７１から横方向に突出する把持部７２とからなる。その把持部は、基部から突出する対の円弧状片７４ａを有する二股状となっている。取付冶具は、弾力を有する合成樹脂からなり、対の円弧状片の対向先端が向き合う間隙７５から、手摺り４０を嵌めて対の円弧状片でその手摺を円弧状に把持して支持する。掃き出し窓や出入り口等を挟んで並行に設置されたポール１間に一方を着脱ブラケット、他方を回転ブラケットで支持された手摺り４０を架設する。手摺りが邪魔の場合、鎖線のように、手摺りを跳ね上げてこの取付治具に支持する。【選択図】図１４
0003218179.tif 000002
【実用新案登録請求の範囲】
【請求項１】
並行に設けた上下方向の対の介護用ポール（１）の間に手摺り（４０）を取付けた状態における、前記手摺り（４０）を前記ポール（１）の別位置に取付ける治具（Ｂ）であって、
合成樹脂からなって、前記ポール（１）に固定される基部（７１）と、その基部（７１）から横方向に突出する把持部（７２）とからなり、その把持部（７２）は、前記基部（７１）から突出する対の円弧状片（７４ａ、７４ａ）を有する二股状であって、その対の円弧状片（７４ａ）の対向先端が向き合う間隙（７５）から、前記手摺り（４０）を嵌めて対の円弧状片（７４ａ）でその手摺り（４０）を円弧状に把持して支持する介護ポール用手摺り取付治具。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置等に使用される、そのポールに手摺りを取付ける治具に関するものである。
【背景技術】
【０００２】
従来、足の弱った人が椅子、ベッドや便器等から立ち上がるのを補助する介護装置として、天井面と床面の間に立設する縦型ポールが知られている。
その縦型ポールは、例えば、上下方向のポールと、そのポールの上端に取付けられる天井側アタッチメントと、ポールの下端に取付けられる床側アタッチメントとを備えたものであり、その天井側アタッチメントとポール上端との間に弾性支持機構を設け、床側アタッチメントとポール下端との間に突張力調整機構を設けている（特許文献１段落００２０〜００６７、図１、特許文献２〜４等参照）。
【０００３】
この縦型介護用ポール装置には、歩行時等の補助のため、手摺りが適宜に取り付けられる（特許文献２図１、段落００３６〜同００３７、符号４０参照）。
その手摺りは、ポールに沿って上下方向に取付けられる場合のみならず、掃き出し窓等は手摺りを取り付ける壁がないため、また、人の出入り口、物の出し入れ口等においては、手摺りを取り付けると、その出入りや出し入れができないため、掃き出し窓や出入り口等を挟んで対のポールを並行して設け、その両ポール間に手摺りを設けている（本願図１、図２参照）。この並行のポール間の手摺りは、窓からの出入りを行う場合や、人の出入り、物の出し入れをする場合には、邪魔となるため、ポールから取り外すこととなる。
【先行技術文献】
【特許文献】
【０００４】
【特許文献１】特開２０００ー３１４２２０号公報
【特許文献２】実用新案登録第３２１４３５８号公報
【特許文献３】実用新案登録第３２１５２２７号公報
【特許文献４】実用新案登録第３２１６７５６号公報
【考案の概要】
【考案が解決しようとする課題】
【０００５】
しかし、ポールへの手摺りの取付けは、通常、対の半割状リングでポールを挟み、その両半割状リングをボルトで締結し、一方の半割状リングに手摺り端部を円盤状取付板を介して行っている（特許文献３、段落００３１〜００３２、図１、図１０参照）。
このボルトによる締結は、その取外し作業が煩雑であり、その改善が望まれる。このため、手摺りの取付けを簡単とするとともに、取外した手摺りをポールの別の位置にあずける（取付ける）ことが要求される。
【０００６】
この考案は、以上の実情の下、ポールから取外した手摺り端部の嵌め込み・脱着を容易にすることを課題とする。
【課題を解決するための手段】
【０００７】
前記課題を達成するために、この考案は、まず、介護ポール用手摺り取付治具（手摺りキャッチャー）を合成樹脂製としたのである。合成樹脂は、射出成形等によって、種々の形状に成形することができる上に、組成を調整することによって、種々の適宜な弾力を有するものとすることができる。
つぎに、この考案は、その構成を、ポールに固定される基部と、その基部から横方向に突出する把持部とからなり、その把持部は、前記基部から突出する対の円弧状片を有する二股状となっている構成としたのである。
この構成のキャッチャー（取付冶具）は、弾力を有する合成樹脂からなるため、対の円弧状片の対向先端が向き合う間隙から、前記手摺りを嵌めて対の円弧状片でその手摺りを円弧状に把持して支持することができる。
【０００８】
この考案は、以上のように構成して、手摺りの取付け・脱着を容易にしたので、その作業の簡単な手摺り取付冶具となる。
【図面の簡単な説明】
【０００９】
【図１】この考案に係る介護用ポール装置の一実施形態の概略正面図
【図２】同他の実施形態の概略正面図
【図３】両実施形態のポール部材の接続締結金具を示し、（ａ）は平面図、（ｂ）は正面図、（ｃ）は半割リングの正面図、（ｄ）は半割リングの斜視図
【図４】両実施形態の床固定部分の切断正面図
【図５】図４のＩＩＩ−ＩＩＩ線断面図
【図６】図４のＩＶ−ＩＶ線断面図
【図７】両実施形態の床固定部分のカバーを持ち上げた状態の斜視図
【図８】両実施形態の床固定部分のガイド筒を持ち上げた状態の斜視図
【図９】両実施形態の弾性支持機構（天井固定具）を示す切断正面図
【図１０Ａ】同弾性支持機構のケーシング（筐体）を示し、（ａ）は斜視図、（ｂ）は平面図
【図１０Ｂ】同弾性支持機構の摺動板を示し、（ａ）は斜視図、（ｂ）は平面図、（ｃ）は下面図
【図１０Ｃ】ケーシング底板部分を示し、（ａ）は斜視図、（ｂ）は切断正面図
【図１０Ｄ】同弾性支持機構のケーシングの天板を示し、（ａ）は斜視図、（ｂ）は下面図
【図１１】両実施形態の手摺り用締結金具を示し、（ａ）は正面図、（ｂ）は左側面図、（ｃ）は平面図
【図１２】両実施形態のポールへの手摺りの締結金具である着脱ブラケットを示し、（ａ）は分解斜視図、（ｂ）は一方の部材の側面図、（ｃ）は他方の部材の左側面図
【図１３】同実施形態のポールへの手摺りの締結金具である回転ブラケットを示し、（ａ）は正面図、（ｂ）は（ｃ）の左側面図、（ｃ）は平面図
【図１４】両実施形態に係る手摺り取付治具（キャッチャー）のポールへの取付状態を示す要部斜視図
【図１５】同手摺り取付治具を示し、（ａ）は平面図、（ｂ）は正面図
【考案を実施するための形態】
【００１０】
この考案に係る縦型介護用ポール装置の各実施形態を図１、図２に示し、この縦型介護用ポール装置Ａは、掃き出し窓、人の出入り口、物の出し入れ口等において、掃き出し窓や出入り口等を挟んで（間にして）並行に対で設置されており、従来と同様に、床面Ｆと天井面Ｃの間に垂直（上下）に介設する。
その上下方向のポール１の下端に床面Ｆに固定する床用台座２１、上端に天井面Ｃに固定する天井用台座３１がそれぞれ設けられている。
【００１１】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される。
【００１２】
その接続締結金具１０は、特許文献３段落００１６〜同００１７、本願図３に示すように、円筒状半割リング１１、１１の対からなり、その各リング１１の両側にはそれぞれフランジ１２、１２、１２、１２が設けられている。対向するフランジ１２には同一軸上の孔１３が形成されて、その一方がタッピングねじ孔となっている。半割リング１１は軸方向中程で肉薄となって段差１４が形成されている。
このため、この対の円筒状となった半割リング１１、１１に他方（下側）のポール部材１ｂを嵌めると、その段差１４にポール部材１ｂの上端が係止して、その上端に接続締結金具１０が取付けられる。接続締結金具１０は、対向するフランジ１２の一方の孔１３にボルト１５を差し込んで同他方の孔１３にねじ込むことによって両リング１１、１１が締まって（縮径して）接続締結機能を発揮する。
【００１３】
ポール１の長さ（両台座２１、３１の間隔）は、床面Ｆと天井面Ｃとの間隔より少し短い程度になるように、両ポール部材１ａ、１ｂをその軸方向に嵌め込んで接続締結金具１０で一体とする。この締結は、他方のポール部材１ｂに一方のポール部材１ａを嵌め込んで所要の長さにした後、その嵌め込み部に接続締結金具１０を嵌めて行ったり、他方のポール部材１ｂの上端にこの接続締結金具１０を落ちない程度に嵌め込み、その状態で、一方のポール部材１ａを他方のポール部材１ｂに嵌め込んで所要の長さにした後、その嵌め込み状態で接続締結金具１０のボルトをねじ込んで行ったりする。
【００１４】
床固定具２０の台座２１は、鋼板製ベース板から成り、図４〜図８（特許文献４段落００１４〜同００１９、同図２〜図６参照）に示すように、そのベース板２１（床用台座）の中心には全長に亘ってねじが形成されたボルト２２が立設（植設）されている。このボルト２２は、その下端２２ａを研削して縮径し、その縮径端部２２ａを台座２１の孔２１ａに嵌めて溶接することによって強固に立設されている。
ボルト２２には、ロックナット２３、ジャッキコマ２４、回転防止コマ２５、上昇防止用ナット２３ａ及び固定ナット２３ｂが設けられている。ロックナット２３、ジャッキコマ２４、上昇防止用ナット２３ａ及び固定ナット２３ｂはボルト２２にねじ通されている。
ベース板２１は床面Ｆにビス２１ｂにより固定され、その裏面（下面）には滑り止めシート（板）を貼着することができる。回転防止コマ２５の周りにはガイド筒２６が設けられている。
前記ロックナット２３はジャッキコマ２４下面に圧接されてその弛みを防止する。上昇防止用ナット２３ａ及び固定ナット２３ｂは相互に締め付けられてボルト２２の所要位置に固定されて回転防止コマ２５（ジャッキコマ２４）が必要以上に上昇するのを阻止して、天井が損傷されるのを防止する。
【００１５】
回転防止コマ２５は、ＭＣナイロン（６ナイロンと呼ばれるポリアミド樹脂）等の樹脂製であって、ボルト２２に上下動自在に嵌め込まれている。回転防止コマ２５の上面は円状凹部に形成されてこの凹部にポール部材１ｂの下端が嵌っている。回転防止コマ２５の外周等分位置（この実施形態では周囲８等分位置）に上下方向全長に亘るガイド溝２５ａが形成されている。
ガイド筒２６は、アルミニウム製の円筒状引き抜き品であって、円筒の内面に上下方向の対の弧状突条２６ａ、２６ａが形成されて、その対の弧状突条２６ａは凹側が向き合って円状空間を形成しており、その対の突条２６ａが前記溝２５ａに嵌る突条となるとともに、床用台座２１からのビス２１ｃが前記空間を介してねじ込まれてガイド筒２６が床用台座２１に固定されている。
【００１６】
この構成によって、ジャッキコマ２４がボルト２２に対して回転することによって昇降し、それに伴って回転防止コマ２５が昇降する。このため、回転防止コマ２５の上面に他方のポール部材１ｂの下端が当接して（嵌って）いることによって、ポール部材１ｂ（ポール１）も昇降する。ジャッキコマ２４の回転は外周面の孔２４ａに棒材を嵌める等によって行う。
【００１７】
回転防止コマ２５には埋め込みビス（イモネジ）２５ｄが周囲等間隔に設けられており（図５参照）、このビス２５ｄをねじ穴にねじ込んで、そのビス２５ｄの尖った先端をポール部材１ｂに圧接することによってポール部材１ｂと回転防止コマ２５が一体になる。この一体化によって、回転防止コマ２５はガイド筒２６を介して台座２１に固定のため、ポール部材１ｂ（ポール１）の回転が阻止される。ビス２５ｄの数は任意である。
【００１８】
ボルト２２の頂部にはＡＢＳ樹脂（アクリロニトリル・ブタジエン・スチレン共重合合成樹脂）製振れ止め用安定コマ２７がねじ込まれている。安定コマ２７は他方のポール部材１ｂ内に移動可能にぴったり嵌り込む（ポール部材１ｂ内径と安定コマ２７の外径はほぼ同一となっている。）。
【００１９】
このボルト２２、ジャッキコマ２４等によって突張力調整機構が構成され、この突張力調整機構（床固定具）２０に円錐台筒状のＡＳＡ樹脂（アクリロニトリル・スチレン・アクリルゴム）製状カバー２８が被せられる。このカバー２８は他方のポール部材１ｂに嵌めてその軸方向に移動自在である。
以上のボルト２２と、安定コマ２７と、ジャッキコマ２４と、回転防止コマ２５と、ガイド筒２６とから床固定具２０は成る。
【００２０】
天井固定具３０の台座３１は鋼板製円形板からなる。この台座３１の上面（天井面Ｃに接する面）にも前記床用台座２１と同様の滑り止めシート（板）が貼着されている。
この台座３１の下面に図９、図１０Ａ〜図１０Ｄに示す弾性支持機構が構成されている。この弾性支持機構は、天板３２ｂを有する（有蓋の）円筒状ケーシング（筐体）３２内に構成されて、コイルばね３３、摺動板３４からなる。ばね３３の数は、図示の対の２個に限らず、複数の場合はポール１の軸心に対して対称位置とする。１つのコイルばね３３であれば、そのばね３３の中心とポール１の軸心を同じとする。
【００２１】
ケーシング３２はアルミニウム製の引き抜き品であって、円筒状を呈してその内面に上下方向の突条３２ａが形成されている（図１０Ａ参照）。この実施形態では、突条３２ａは対の弧状突片を対向させたものであり、対の突片の内面によって下記の皿ねじ３２ｆのねじ込み面（孔）を形成する。
【００２２】
摺動板３４は少なくとも側面が滑性の高い樹脂からなり、この実施形態ではＰＯＭ（ポリアセタール）樹脂からなる。この摺動板３４はケーシング３２の内部円形状と同一の円板状であり、その周囲等間隔に溝３４ａを有している（図１０Ｂ参照）。この溝３４ａにケーシング３２内面の前記突条３２ａが嵌る。この突条３２ａは、少なくとも摺動板３４が上下に移動する長さがあれば良い。摺動板３４に突条、ケーシング３２内面に溝を形成することもでき、このとき、溝は少なくとも摺動板３４が上下に移動する長さがあれば良い。溝３４ａ及び突条３２ａの数及び間隔は、摺動板３４の昇降を円滑に案内できる限りにおいて１つ、２つ、３つ等、及び非等間隔などと任意である。
【００２３】
摺動板３４の上面は適宜にリブ３４ｂが形成されて補強とともにばね座３４ｃが形成されている。
一方、摺動板３４の下面にはアルミニウム板製当て板３５が嵌められてボルト・ナット３６によって固定されている。その当て板３５下面の中央にはアルミニウム製無垢棒３７がボルト３７ａによって固定され、その無垢棒３７に一方のポール部材１ａの上端が嵌め込まれてビス３７ｂ止めされている（図９、図１０Ｃ参照）。
【００２４】
ケーシング３２の上面には図１０Ｄに示す天板３２ｂが嵌って、その天板３２ｂは前記突条３２ａに透孔３２ｅを介して皿ビス３２ｆをねじ込むことによってケーシング３２に一体となっている。さらに、天板３２ｂは台座３１にビス３２ｇ止めされて、ボルト３８がねじ込まれている。このボルト（ナット）３８と底板（当て板）３５のボルト・ナット３６の間にコイルばね３３が介装されている（図９参照）。
【００２５】
なお、図９中、３９はＡＳＡ樹脂製カバーであり、このカバー３９、ケーシング３２は断面円形の箱状に限らず、断面方形等と任意であり、その材料も金属や樹脂に限定されない。このとき、ケーシング３２の断面形状に対応させてコイルばね３３の数や配置等を適宜に変更することは勿論である。
【００２６】
この実施形態の縦型介護用ポール装置Ａは以上の構成であり、床面Ｆと天井面Ｃの間にこの介護用ポール装置Ａを設置する場合、図１、図２に示すように、上下の台座２１、３１の間隔（ポール１の自然長）が床面Ｆと天井面Ｃの間隔の少し短い長さとして、この縦型介護用ポール装置Ａを床面Ｆと天井面Ｃの間に位置させる。
その状態で、図７、図８に示すように、カバー２８を上方にずらし、ジャッキコマ２４を回して回転防止コマ２５を上昇させ、他方（下側）のポール部材１ｂ（ポール１）を上方に持ち上げる。このポール１の上昇につれ台座３１が天井面Ｃに強固に押し付けられてポール１が不動となる。このジャッキコマ２４の回転はガイド筒２６の開口２６ｂから棒材を孔２４ａに差し込んで行う。
【００２７】
なお、必要であれば、固定ナット２３ｂの上側にさらにナットを設け、そのナットを安定コマ２７の下面に圧接してボルト２２と安定コマ２７の一体化を高めることもできる。また、天井用台座３１も天井面Ｃにビス止めすることができる。
【００２８】
以上のように構成された並行な縦型介護用ポール装置Ａ、Ａのポール１、１の間に手摺り４０が設けられている（架設されている）。その図１に示す手摺り４０は、一端部は取外し可能となって、他端部はヒンジ構造となっている。図２に示す手摺り４０は、両端部が取外し可能となっている。この手摺り４０は、図１１に示す締結金具（取付金具・接続金具）４１、図１２に示す着脱ブラケット５０、図１３に示す回転ブラケット６０でポール部材１ｂに固定する（取付ける）。
【００２９】
その締結金具４１は、図１１に示すように、前記接続締結金具１０と同様に、対の円環状半割リング４３、４３と、一方の半割リング４３から横方向に突出した取付板４４とからなる。
半割リング４３の両側にはそれぞれフランジ４３ａが設けられている。対向するフランジ４３ａには同一軸上の透孔４５が形成されている。このため、この対の半割リング４３をポール部材１ｂに嵌め、対向する透孔４５にボルトを差し込んで袋ナット締め（ボルト・ナット４６締め）することによって両リング４３、４３が締まって（縮径して）この締結金具４１がポール部材１ｂに固定される。ボルト・ナット締めに代えて、一方の透孔４５をタップねじ孔として、前記接続締結金具１０のように、そのねじ孔へのボルト締めで両リング４３を締めても良い。一方、接続締結金具１０も同様なボルト・ナット締めとし得る。
【００３０】
図１の手摺り４０は、一方端部に着脱ブラケット５０がボルト止めされ、他端部に回転ブラケット６０がボルト止めされている。図２の手摺り４０は両端部とも着脱ブラケット５０がボルト止めされている。
【００３１】
着脱ブラケット５０は、図１２に示すように、前記締結金具４１に固定される一方の部材５１と、手摺り４０の端部が嵌る有底円筒体の他方の部材５７とからなる。両部材５１、５７は金属や硬質樹脂等の機械的強度を有するものとする。
一方の部材５１は、筒状体５２の一の端面に前記締結金具４１の取付板４４に重ねる取付板５３を有し、その両取付板４４、５３を取付孔５３ａを介してボルト締めやボルト・ナット締めによって締結金具４１に固定される。筒状体５２は一側面から他側面に向かって半径方向の長方形溝５２ａが形成され、その奥に爪材５４が溝５２ａに直交方向の摺動溝５５を介して横方向（側面方向）に出没自在に設けられている。この爪材５４は、図示しないばねによって突出方向に付勢されているとともに、図１２に示すように抜け出ない程度に突出する。
【００３２】
他方の部材５７は、有底円筒体５８とその底壁表面から突出した連結片５９とからなる。その連結片５９の両側面に溝５９ａが形成されており、この連結片５９を一方の部材５１の溝５２ａに上方から（図１２（ｂ）において上方から下方）に嵌め込むと、爪材５４がばねに抗して後退し、やがてばねによりその三角状部５４ａが前記溝５９ａに嵌って、両部材５１、５７の抜け出しを防止（抜け止め）する。図１２（ｂ）鎖線で示すように、爪材５４の頭部５４ｂを押して三角状部５４ａを溝５９ａから退去させれば、両部材５１、５７は切り離すことができる。
この他方の部材５７の円筒体５８に手摺り４０の端部を嵌め込み、円筒体５８の底壁の孔５８ａからビスをねじ込んでこの着脱ブラケット５０に手摺り４０の一端部を固定する（図１２（ａ）鎖線状態）。
【００３３】
回転ブラケット６０は、図１３に示すように、前記締結金具４１に固定される一方の部材６１と、手摺り４０の端部が嵌る有底円筒体の他方の部材６７とからなる。両部材６１、６７も金属や硬質樹脂等の機械的強度を有するものとする。
一方の部材６１は、だるま状球状体６２の一の端面に前記締結金具４１の取付板４４に重ねる取付板６３を有し、その両取付板４４、６３を孔６３ａを介しボルト締めやボルト・ナット締めによって締結金具４１にこの部材６１は固定される（図１３（ａ）参照）。球状体６２の先端部６２ａは半球状となっている。
【００３４】
他方の部材６７は、有底円筒体６８とその底壁表面から突出した半球状連結片６９とからなる。その連結片６９を一方の部材６１の半球状先端部６２ａに重ねて球状とし、その両者をボルト６４により連結し、一方の部材６１と他方の部材６７とがそのボルト６４を介して相互に回転可能となっている。ボルト６４の挿通孔には栓６５をすることができる。
この他方の部材６７の円筒体６８に手摺り４０の端部を嵌め込み、円筒体６８の側面からビスをねじ込んで、この回転ブラケット６０に手摺り４０の端部を固定する。この固定された手摺り４０は、図１３（ａ）鎖線に示すように、回転ブラケット６０を介して上下方向に回転可能である。
【００３５】
この考案の特徴である取付治具（キャッチャー）Ｂは合成樹脂ゴム（例えば、硬度ショアＡ：８０のウレタンゴム等）からなって、図１４、図１５に示すように、前記ポール１に固定される基部７１と、その基部７１から横方向に突出する把持部７２とからなる。基部７１は一部が割られた円筒体であり、その割面部にそれぞれ前方に突出する支持片７３、７３を有している。この基部７１は、ポール１に嵌めて両支持片７３、７３をビス７３ａで締結することによってポール１に固定する。このとき、基部７１は合成樹脂ゴムからなって弾力性を有するとともに接触抵抗が大きいため、ポール１にしっかり（強固に）締結される（固定される）。
【００３６】
把持部７２は、前記基部７１の支持片７３、７３からそれぞれ突出する対の円弧状片７４ａ、７４ａを有する二股状であって、その対の円弧状片７４ａは、外側に突出する円弧が対向する構成となっている。このため、その円弧状片７４ａの対向先端が向き合う間隙７５から、図１４矢印で示すように、手摺り４０を嵌めて（同図実線から鎖線状態）対の円弧状片７４ａでその手摺り４０を円弧状に把持して支持する。
この円弧状片７４ａの大きさ（曲率）は、手摺り４０の太さに対応して適宜に設定する。基部７１の円筒体の大きさ（内径）もポール１の太さに応じて適宜に設定する。
【００３７】
図１に示す実施形態においては、両ポール１、１間に手摺り４０を取り付けた状態において、その手摺り４０を外す場合は、着脱ブラケット５０の爪材５４の頭部５４ｂを押して三角状部５４ａを溝５９ａから退去させて両部材５１、５７を切り離した後、同図実線から鎖線に示すように、その着脱ブラケット５０で支持する手摺り４０の一端部を回転ブラケット６０を介し跳ね上げて、他端のポール１上の取付冶具Ｂに嵌める。このとき、取付治具Ｂの位置は、取り付けた手摺り４０が邪魔にならないように適宜に設定する。取付治具Ｂから手摺り４０を外して着脱ブラケット５０に嵌め込めば、両ポール１、１間の手摺り４０となる（同図実線状態）。
【００３８】
図２に示す実施形態においては、一方のポール１の上下に取付冶具Ｂをそれぞれ固定し、手摺り４０を外す場合は、両ポール１、１の着脱ブラケット５０、５０から手摺り４０を外し、その手摺り４０の両端部を上下の取付冶具Ｂに嵌める。このとき、上下の取付治具Ｂ、Ｂの間隔及び位置は、取り付けた手摺り４０が邪魔にならないように適宜に設定する。手摺り４０を両ポール１、１間に設ける場合は、取付冶具Ｂから手摺り４０の両端を外して着脱ブラケット５０に嵌め込めば、両ポール１、１間の手摺り４０となる（同図実線状態）。
【００３９】
以上の手摺り４０の端部を取付治具（キャッチャー）Ｂに脱着する際、その取付治具Ｂが合成樹脂からなるため、対の円弧状片７４ａ、７４ａの対向先端が向き合う間隙７５から、手摺り４０の嵌め込み・取外し（脱着）が容易であると共に、対の円弧状片７４ａでその手摺り４０の端部を円弧状に弾力を持って把持するため、その支持も強固である（容易に外れることはない）。
このように、取付治具Ｂは、ポール１に強固に固着し、手摺り４０をしっかり把持し得れば、材料としては、上記ウレタンゴムに限定されず、他の種々の合成樹脂ゴムを使用できることは勿論であり、また、可能であれば、天然ゴムを採用でき、ゴム以外の同様な機能を有する合成樹脂を採用することもできる。
【００４０】
この考案は、前記取付治具（キャッチャー）が特徴であって、接続締結金具１０、床固定具（突張力調整機構）２０、天井固定具（弾性支持機構）３０、手摺り４０、着脱ブラケット５０、回転ブラケット６０等の他の構成は、前記の態様に限定されるものではなく、例えば、天井固定具３０は弾性支持機構が付設されているが、その弾性支持機構を省略したり、その弾性支持機構を、特許文献２図７に記載の構成としたり、床固定具２０は突張力調整機構を省略したり、その突張力調整機構を、特許文献２図４〜図６に記載の構成としたり、特許文献３図４〜図６に記載の構成としたりすることができる。また、回転ブラケット６０を自在継手構造としたりすることができる。
さらに、介護用ポール１は、並行に設けた物であれば、前記実施形態のように、天井と床面との間に設けた態様に限らず、壁等に取付けた態様等の並行に向けた介護用ポール１などの何れの態様でもこの考案は採用することができることは勿論である。
【００４１】
なお、各部材（ポール１、台座２１、３１、カバー２８、ケーシング３２、カバー３９等）に塗装を行う場合は、その塗装表面にパーカー処理を施すことは言うまでもない。また、その各部材はその機能を発揮する限りにおいて前記の材料に限定されないことは言うまでもない。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００４２】
Ａ  縦型介護用ポール装置
Ｂ  手摺り取付治具（キャッチャー）
１  ポール
１ａ  一方（上側）のポール部材
１ｂ  他方（下側）のポール部材
１０  ポール部材の接続締結金具
２０  床固定具
２１  床用台座
２２  ポール長さ調整用ボルト
２３  ロックナット
２３ａ  上昇防止用ナット
２３ｂ  固定ナット
２４  ジャッキコマ
２５  回転防止コマ
２５ａ  ガイド溝
２６  ガイド筒
２６ａ  突条
２７  振れ止め用安定コマ
２８  カバー
３０  天井固定具
３１  天井用台座
４０  手摺り
４１  手摺りの締結金具（取付金具）
４３  同締結金具の半割リング
４３ａ  同リングのフランジ
４４  同リングの取付板
４７  手摺りの取付板
５０  着脱ブラケット
５１  着脱ブラケットの一方の部材
５２  同一方の部材の筒状体
５２ａ  同長方形溝
５３  同取付板
５４  同爪材
５４ａ  爪材の三角状部
５４ｂ  爪材の頭部
５５  摺動溝
５７  着脱ブラケットの他方の部材
５８  同他方の部材の円筒体
５９  同連結片
５９ａ  同連結片の溝
６０  回転ブラケット
６１  回転ブラケットの一方の部材
６２  同一方の部材の球状体
６３  同取付板
６７  回転ブラケットの他方の部材
６８  同他方の部材の円筒体
６９  同連結片
７１  手摺り取付治具の基部
７２  同把持部
７３  手摺り取付治具の支持片
７４ａ  把持部の円弧状片
７５  両円弧状片の先端部の間隙
【図１】
0003218179.tif 000003
【図２】
0003218179.tif 000004
【図３】
0003218179.tif 000005
【図４】
0003218179.tif 000006
【図５】
0003218179.tif 000007
【図６】
0003218179.tif 000008
【図７】
0003218179.tif 000009
【図８】
0003218179.tif 000010
【図９】
0003218179.tif 000011
【図１０Ａ】
0003218179.tif 000012
【図１０Ｂ】
0003218179.tif 000013
【図１０Ｃ】
0003218179.tif 000014
【図１０Ｄ】
0003218179.tif 000015
【図１１】
0003218179.tif 000016
【図１２】
0003218179.tif 000017
【図１３】
0003218179.tif 000018
【図１４】
0003218179.tif 000019
【図１５】
0003218179.tif 000020